(57)【要約】【課題】  媒体収納部と供給ローラとの間口部の隙間の変動を抑えることができる媒体給送装置及びその媒体給送装置を備えた記録装置と液体噴射装置を提供すること。【解決手段】  媒体を載置して収納する媒体収納部１３２と、この媒体収納部に近接して配置され、収納されている前記媒体を給送する供給ローラ３２との間口部Ａの隙間を調節する調節手段３５を備える。これにより、間口部の隙間を状況に応じて調節することができるので、高精度な給紙を常に行うことができる。【選択図】      図１１
2006117392.tif 000002
【特許請求の範囲】
【請求項１】
媒体を載置して収納する媒体収納部と、この媒体収納部に近接して配置され、収納されている前記媒体を給送する供給ローラとを有する媒体給送装置であって、
前記媒体収納部と前記供給ローラとの間口部の隙間を調節する調節手段を備えたことを特徴とする媒体給送装置。
【請求項２】
前記調節手段は、前記供給ローラの軸の撓みを規制することにより隙間調節することを特徴とする請求項１に記載の媒体給送装置。
【請求項３】
前記調節手段は、前記供給ローラの軸に対し当該撓み方向とこれに直交する方向に当接して規制することを特徴とする請求項２に記載の媒体給送装置。
【請求項４】
前記調節手段は、スペーサを用いて隙間調節することを特徴とする請求項１〜３の何れか一項に記載の媒体給送装置。
【請求項５】
前記調節手段は、前記媒体収納部の高さを規制することにより隙間調節することを特徴とする請求項１に記載の媒体給送装置。
【請求項６】
媒体に記録する記録装置であって、
請求項１〜５の何れか一項に記載の媒体給送装置を備えたことを特徴とする記録装置。
【請求項７】
被噴射媒体に液体を噴射する液体噴射装置であって、
請求項１〜５の何れか一項に記載の媒体給送装置を備えたことを特徴とする液体噴射装置。
【発明の詳細な説明】
【技術分野】
【０００１】
本発明は、媒体を給送する媒体給送装置及びその媒体給送装置を備えた記録装置と液体噴射装置に関する。
【背景技術】
【０００２】
一般的な記録装置の１つであるインクジェット式プリンタは、背面側上部に自動給紙装置が配設され、前面側下部に自動排紙装置が配設されている。自動給紙装置は、用紙を給紙する給紙ローラと、この給紙ローラと対向して配置され、用紙が重送されたときに最上層の用紙と下層の用紙を分離するリタードローラを備えている。そして、給紙ローラとリタードローラとのニップ点直前には、リタードローラ支持フレームの左右両側から対向して延びる間口規制部材が配設されている。この間口規制部材は、給紙ローラとの間口部へ案内される用紙の枚数を規制する機能を有している。
【０００３】
【特許文献１】特開２００４−８３２６９号公報
【発明の開示】
【発明が解決しようとする課題】
【０００４】
上述した従来のインクジェット式プリンタの給紙ローラは、給紙時の用紙の押圧負荷、ホッパの上昇負荷、トルクリミッタのブレーキ負荷等により、給紙ローラ軸が撓んで給紙ローラ軸位置が変動する場合がある。この給紙ローラ軸位置の変動が発生すると、給紙ローラと間口規制部材との間口部の隙間が変化することになるので、給紙に不具合が発生するおそれがある。
【０００５】
本発明は、上記のような種々の課題に鑑みなされたものであり、その目的は、媒体収納部と供給ローラとの間口部の隙間の変動を抑えることができる媒体給送装置及びその媒体給送装置を備えた記録装置と液体噴射装置を提供することにある。
【課題を解決するための手段】
【０００６】
上記目的達成のため、本発明の媒体給送装置では、媒体を載置して収納する媒体収納部と、この媒体収納部に近接して配置され、収納されている前記媒体を給送する供給ローラとを有する媒体給送装置であって、前記媒体収納部と前記供給ローラとの間口部の隙間を調節する調節手段を備えたことを特徴としている。これにより、間口部の隙間を状況に応じて調節することができるので、高精度な給紙を常に行うことができる。
【０００７】
また、前記調節手段は、前記供給ローラの軸の撓みを規制することにより隙間調節することを特徴としている。これにより、供給ローラに負荷が掛かっても、供給ローラの軸位置の変動を抑えることができる。また、前記調節手段は、前記供給ローラの軸に対し当該撓み方向とこれに直交する方向に当接して規制することを特徴としている。これにより、供給ローラの軸の撓みをほぼ完全に抑えることができる。また、前記調節手段は、スペーサを用いて隙間調節することを特徴としている。これにより、間口部の隙間の調節を簡易に行うことができる。また、前記調節手段は、前記媒体収納部の高さを規制することにより隙間調節することを特徴としている。これにより、間口部の隙間を状況に応じて調節することができるので、高精度な給紙を常に行うことができる。
【０００８】
上記目的達成のため、本発明の記録装置では、媒体に記録する記録装置であって、上記各媒体給送装置を備えたことを特徴としている。また、本発明の液体噴射装置では、被噴射媒体に液体を噴射する液体噴射装置であって、上記各媒体給送装置を備えたことを特徴としている。これにより、上記各作用効果を奏する記録装置及び液体噴射装置を提供することができる。
【発明を実施するための最良の形態】
【０００９】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１０】
このインクジェット式複合機１００は、図１に示すように、全体が略直方体状のハウジング１０１で覆われており、下段にプリンタ１１０が配設され、上段にスキャナ１２０が配設された構成となっている。そして、背面側に本発明の特徴的な部分を含む給紙部１３０が配設され、前面側に給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１１】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１２】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１３】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１４】
ハウジング１０１内には、図２及び図３に示すように、給紙部１３０と、給排紙部１４０、記録部１５０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する本発明の特徴的な部分を含む背面給紙機構（以下、リアＡＳＦという）１３４等が配設されている。
【００１５】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００１６】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００１７】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００１８】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００１９】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。さらに、本発明の特徴的な部分であるフレーム（媒体収納部）１３２と給紙ローラ（供給ローラ）３２との間口部の隙間を調節する間口部調節手段３５、３６（図１０、図１２等参照）を備えており、この間口部調節手段３５、３６の詳細については後述する。
【００２０】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。
【００２１】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２２】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２３】
図５は、フロントＡＳＦ１４４の詳細を示す側面図であり、図３及び図５を参照して説明する。フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６等を備えている。
【００２４】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００２５】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００２６】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００２７】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００２８】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００２９】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、本発明の特徴的な部分を含む給紙部１３０について、さらに図を参照して説明する。
【００３０】
図６は、上記給紙部１３０の詳細を斜め前方から見た斜視図、図７は、それを斜め後方から見た斜視図、図８は、それを斜め下方から見た斜視図であり、図４の側面図も参照して説明する。この給紙部１３０は、上述したように、フレーム１３２に配設されたペーパーサポート１３３とリアＡＳＦ１３４を備えている。フレーム１３２は、装置前面側から見て右側壁１３２ａと左側壁１３２ｂ、及びそれらの間に架設された後壁１３２ｃと底盤１３２ｄで構成されている。ペーパーサポート１３３とリアＡＳＦ１３４は、フレーム１３２に囲われた１ユニットとして構成されているので、インクジェット式複合機１００の組立や修理等の際の取り扱いが容易となる。
【００３１】
第１サポート２１は、フレーム１３２の後壁１３２ｃの内側であって右側壁１３２ａと左側壁１３２ｂの間に配設され、第１サポート２１の両側端が右側壁１３２ａと左側壁１３２ｂに沿って上下に摺動自在となるように嵌め込まれている。第２サポート２２は、上端が突出する形で第１サポート２１の背面側に収納され、第２サポート２２の両側端が第１サポート２１の両側壁に沿って上下に摺動自在となるように嵌め込まれている。ペーパーサポート１３３は、第１サポート２１と第２サポート２２の２段階で収納・引出自在となっているので、収納したときの面積を小さくすることができ、また引き出したときの支持面積を大きく取ることができる。
【００３２】
固定エッジガイド２３は、ホッパ３１の右側端から垂直に立ち上がるように一体形成され、可動エッジガイド２４は、固定エッジガイド２３と平行であって、ホッパ３１の左側端と右側端との間に形成された溝３１ａに沿って摺動自在に配設されている。可動エッジガイド２４は、スムーズに移動することができるので、固定エッジガイド２３との間で用紙を幅に合わせて正確に挟み込むことができる。
【００３３】
ホッパ３１は、第１サポート２１の内側であってフレーム１３２の右側壁１３２ａと左側壁１３２ｂの間に配設され、ホッパ３１の下端が上端を中心に旋回して、収納されている用紙の下端を給紙ローラ３２に対して押圧・離間するようになっている。給紙ローラ３２は、両端がフレーム１３２の右側壁１３２ａと左側壁１３２ｂの間に回転自在に配設されている給紙ローラ軸３２ａの右端寄りに配設されている。この給紙ローラ３２は、用紙の摩擦給送が容易となるように、外周にゴム等が配設されている。そして、この給紙ローラ軸３２ａには、主要な用紙の幅に合わせて３つの補助給紙ローラ３２ｂが配設されている。
【００３４】
リタードローラ３３は、フレーム１３２の底盤１３２ｄにおける給紙ローラ３２と接触する位置に回転自在に軸支持されている。リア紙戻しユニット３４は、フレーム１３２の底盤１３２ｄにおけるリタードローラ３３の両側と、補助給紙ローラ３２ｂの近傍の４箇所に回転自在に軸支持されている。次に、本発明の特徴的な部分であるフレーム（媒体収納部）１３２と給紙ローラ（供給ローラ）３２との間口部の隙間を調節する調節手段３５の詳細について図を参照して説明する。
【００３５】
図９は、フレーム１３２と給紙ローラ３２との間口部を示す側面図である。この間口部Ａは、フレーム１３２の底盤１３２ｄに形成されているリタードローラ３３直上の用紙給送面１３２ｄａと、給紙ローラ３２の円弧周面３２ｂとの間隙のことである。この間口部Ａの隙間を一定に保持することにより、給紙ローラ３２により引き出されるホッパ３１上の用紙Ｐが通過可能な枚数を一定にすることができ、その後のリタードローラ３３による用紙の分離を確実に行うことができる。したがって、この間口部Ａの隙間を調節する図１０等に示す間口部調節手段３５、３６が配設されている。
【００３６】
図１０は、上記間口部調節手段３５の配設位置を示す斜視図、図１１は、その側面図である。この間口部調節手段３５は、給紙ローラ３２側で調節する手段であり、板金を略Ｌ字状に折り曲げた上面部３５ａと側面部３５ｂで成る形状に形成されている。そして、上面部３５ａは、一端側が突き出ており、その突出部分にはネジ穴３５ｃが穿孔されている。また、側面部３５ｂは、中央下部に給紙ローラ軸３２ａの外周を上から押え付ける半円状の押え付け部３５ｄが形成され、さらに上面部３５ａと同様に一端側下部が突き出ており、その突出部分には下向きのスリット３５ｅが形成されている。
【００３７】
このような構成の間口部調節手段３５は、以下の方法で取り付けられる。すなわち、側面部３５ｂの一端側下部が本体フレーム１０８の壁面に形成されている穴１０８ａに挿入されて、スリット３５ｅが穴１０８ａの縁に差し込まれる。そして、押え付け部３５ｄが給紙ローラ軸３２ａの外周を上から押え付けるようにして、上面部３５ａの一端側が本体フレーム１０８の上部に所定の厚さのスペーサ３５ｆを介して載置され、ネジ穴３５ｃを介してネジ止めされ固定される。これにより、間口部Ａの隙間を所定間隔に調節することができる。よって、給紙ローラ３２により引き出されるホッパ３１上の用紙が通過可能な枚数を一定にすることができ、その後のリタードローラ３３による用紙の分離を確実に行うことができる。
【００３８】
そして、このとき、間口部調節手段３５は、押え付け部３５ｄの後部３５ｄａと上部３５ｄｂと前部３５ｄｃの３箇所、すなわち給紙ローラ３２に用紙の押圧負荷、ホッパ３１の上昇負荷、トルクリミッタのブレーキ負荷等が掛かったときの給紙ローラ軸３２ａの撓み方向及びそれと直交する方向で給紙ローラ軸３２ａの外周に当接する。これにより、給紙ローラ３２に上記負荷等が掛かっても、給紙ローラ軸３２ａの撓みを規制することができるので、給紙ローラ軸３２ａの軸位置の変動を防止することができ、間口部Ａの隙間を所定間隔に調節することができる。よって、給紙ローラ３２により引き出されるホッパ３１上の用紙が通過可能な枚数を一定にすることができ、その後のリタードローラ３３による用紙の分離を確実に行うことができる。
【００３９】
図１２は、上記間口部調節手段３６の配設位置を示す斜視図、図１３は、その分解斜視図である。この間口部調節手段３６は、フレーム１３２の底盤１３２ｄ側で調節する手段であり、図９に示す用紙給送面１３２ｄａを含む部分を別体として構成したものである。この間口部調節手段３６は、リタードローラ３３の両側を挟む略Ｃ字形状に形成されている。そして、フレーム１３２の底盤１３２ｄに形成されているホッパ３１の回転軌跡と同一軌跡で延びるスライド面１３２ｄｂに取り付けられている。
【００４０】
図１４は、上記間口部調節手段３６の調節方法を説明すための側面図である。このような間口部調節手段３６は、図示矢印方向にスライド自在となるので、間口部調節手段３６の用紙給送面１３２ｄａと、給紙ローラ３２の円弧周面３２ｂとの間隙である間口部Ａの隙間を所定間隔に調節することができる。よって、給紙ローラ３２により引き出されるホッパ３１上の用紙が通過可能な枚数を一定にすることができ、その後のリタードローラ３３による用紙の分離を確実に行うことができる。
【００４１】
このような構成において、インクジェット式複合機１００にて用紙に記録する場合の動作について説明する。ユーザは、ペーパーサポート１３３の第２サポート２２を第1サポート２１から完全に引き出すとともに、第1サポート２１をフレーム１３２から完全に引き出してセットする。そして、記録前の複数枚の用紙をペーパーサポート１３３に収納してインクジェット式複合機１００を起動する。ペーパーサポート１３３に積層収納された用紙は、給紙ローラ３２の回転に機械的に同期した圧縮バネの復元によるホッパ３１の上昇により給紙ローラ３２に押付けられ、最上層の用紙のみが調節された間口部Ａを通ってリタードローラ３３により分離されて紙送りローラ１５１へ給送される。そして、分離された下層の用紙は、リア紙戻しユニット３４によりホッパ３１へ押し戻される。一方、最上層の用紙は、スキュー取り及び頭出しされた後、紙送り機構１５６により駆動されている紙送りローラ１５１とその従動ローラ１５２に挟持されてプラテン１５５へ給送される。
【００４２】
用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００４３】
以上のように、本実施形態のインクジェット式複合機１００によれば、フレーム１３２の底盤１３２ｄの用紙給送面１３２ｄａと給紙ローラ３２の円弧周面３２ｂとの間口部Ａの隙間を調節する間口部調節手段３５、３６を備えたので、間口部Ａの隙間を状況に応じて調節することができ、高精度な給紙を常に行うことができる。また、間口部調節手段３５は、給紙ローラ軸３２ａの撓みを規制することにより隙間調節するので、給紙ローラ３２に負荷が掛かっても、給紙ローラ３２の軸位置の変動を抑えることができる。
【００４４】
また、間口部調節手段３５は、給紙ローラ軸３２ａに対し当該撓み方向とこれに直交する方向に当接して規制するので、給紙ローラ軸３２ａの撓みをほぼ完全に抑えることができる。また、間口部調節手段３５は、スペーサ３５ｆを用いて隙間調節するので、間口部Ａの隙間の調節を簡易に行うことができる。また、間口部調節手段３６は、フレーム１３２の底盤１３２ｄの用紙給送面１３２ｄａの高さを規制することにより隙間調節するので、間口部Ａの隙間を状況に応じて調節することができ、高精度な給紙を常に行うことができる。
【産業上の利用可能性】
【００４５】
媒体給送装置を備えた記録装置であれば、例えばファクシミリ装置、コピー装置、スキャナ等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４６】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】図１の複合機の給紙部の詳細を斜め前方から見た斜視図である。
【図７】図１の複合機の給紙部の詳細を斜め後方から見た斜視図である。
【図８】図１の複合機の給紙部の詳細を斜め下方から見た斜視図である。
【図９】フレームと給紙ローラとの間口部を示す側面図である。
【図１０】間口部調節手段の配設位置を示す斜視図である。
【図１１】図１０の側面図である。
【図１２】別の間口部調節手段の配設位置を示す斜視図である。
【図１３】図１２の分解斜視図である。
【図１４】間口部調節手段の調節方法を説明するための側面図である。
【符号の説明】
【００４７】
２１  第１サポート、２２  第２サポート、２３  固定エッジガイド、２４  可動エッジガイド、３１  ホッパ、３２  給紙ローラ、３２ａ  給紙ローラ軸、３２ｂ  円弧周面、３４  リア紙戻しユニット、３５、３６  間口部調節手段、６０  紙戻し部、６１  紙戻しレバー、６２  紙戻し爪、７０  紙戻し駆動部、７１  紙戻し軸、７２  カムフォロア、７３  カム、７４  紙戻し復帰バネ、１００  インクジェット式複合機、１０１  ハウジング、１１０  プリンタ、１２０  スキャナ、１３０  給紙部、１３１  リア給紙口、１３２  フレーム、１３２ｄａ  用紙給送面、１３３  ペーパーサポート、１３４  リアＡＳＦ、１４０  給排紙部、１４４  フロントＡＳＦ、１５０  記録部、Ａ  間口部
【図１】
2006117392.tif 000003
【図２】
2006117392.tif 000004
【図３】
2006117392.tif 000005
【図４】
2006117392.tif 000006
【図５】
2006117392.tif 000007
【図６】
2006117392.tif 000008
【図７】
2006117392.tif 000009
【図８】
2006117392.tif 000010
【図９】
2006117392.tif 000011
【図１０】
2006117392.tif 000012
【図１１】
2006117392.tif 000013
【図１２】
2006117392.tif 000014
【図１３】
2006117392.tif 000015
【図１４】
2006117392.tif 000016